(57)【要約】      （修正有）【課題】簡易な構成ながら径方向に省スペースであり、切り替え時の感触に悪影響がなく、外観の品位に優れた絞りクリック感の切り替え機構を有するレンズ鏡筒を提供する。【解決手段】切り替えスイッチ４０と、前記切り替えスイッチと固定されたスイッチベース４１と、回転可能な円筒状のリング部材と、固定筒に固定された抑えバネ４５と、を有し、前記リング部材は内周部の周方向に沿って凹凸部と、前記凹凸部と隣接する平坦部とを有し、前記スイッチベースは貫通穴を有し、前記貫通穴には一端が球状部材４６と接し、他方の一端が前記抑えバネと接する付勢部材が挿入されていることを特徴とした。【選択図】図３
2020129046.tif 000002
【特許請求の範囲】
【請求項１】
切り替えスイッチと、前記切り替えスイッチと固定されたスイッチベースと、回転可能な円筒状のリング部材と、固定筒に固定された抑えバネと、を有し、
前記リング部材は内周部の周方向に沿って凹凸部と、前記凹凸部と隣接する平坦部とを有し、前記スイッチベースは貫通穴を有し、前記貫通穴には一端が球状部材と接し、他方の一端が前記抑えバネと接する付勢部材が挿入されていることを特徴とするレンズ鏡筒。
【請求項２】
前記リング部材と一体的に回転する操作部材を有し、前記切り替えスイッチを移動させることで、前記操作部材の回転操作においてクリック感を有する第１の付勢状態と、クリック感を有さない第２の付勢状態と、を切り替え可能であることを特徴とする請求項１に記載のレンズ鏡筒。
【請求項３】
前記第１の付勢状態においては前記球状部材が前記平坦部に圧接され、前記第２の付勢状態においては前記球状部材が前記凹凸部に圧接されることを特徴とする請求項２に記載のレンズ鏡筒。
【請求項４】
前記リング部材は、内周部において前記凹凸部と前記平坦部との周方向の延長上に単独凹部を有することを特徴とする請求項１乃至請求項３のいずれかに記載のレンズ鏡筒。
【請求項５】
前記操作部材はレンズ絞り値を調整可能な絞りリングであることを特徴とする請求項１乃至請求項４のいずれかに記載のレンズ鏡筒。
【発明の詳細な説明】
【技術分野】
【０００１】
本発明はクリック感の有無を切り替え可能な絞りリングを有するレンズ鏡筒に関する。
【背景技術】
【０００２】
従来より、絞りリングを回転操作することで絞り値を調整可能なレンズ鏡筒が公知であり、更には絞りリングの回転操作に係るクリック感の有無を切り替え可能なレンズ鏡筒が公知である。
【０００３】
特許文献１には、固定部に対して摺動可能な操作部と、操作部に対して異なる操作感を発生させる複数の操作感発生部材と、複数の操作感発生部材を独立して切り替え、操作部に作用する操作感発生部材を切り替える切替部と、を備える操作機構が開示されている。
【先行技術文献】
【特許文献】
【０００４】
【特許文献１】特開２０１５−７５９１２号公報
【発明の概要】
【発明が解決しようとする課題】
【０００５】
特許文献１に開示された発明においては、リングと当接しているボールを退避させることでクリック感を切り替えている。しかし、このような複雑な機構を搭載するためにはレンズ鏡筒の径方向に大きなスペースが必要であり、製品の大型化を招いてしまう。また、クリック感を生み出すバネに付勢されているホルダーは、切替部と連動している。ここで、クリック感を改善するべくバネ力量を強くすると、一方で切替部の操作における感触が悪化してしまう恐れがある。つまり、クリック感とスイッチの操作感がトレードオフの関係となってしまうため、そのどちらも良好と出来る構成が求められていた。
【０００６】
上記課題から本発明は、簡易な構成ながら径方向に省スペースであり、切り替え時の感触に悪影響がなく、外観の品位に優れた絞りクリック感の切り替え機構を有するレンズ鏡筒を提供することを目的とする。
【課題を解決するための手段】
【０００７】
上記の目的を達成するために、本発明のレンズ鏡筒は、切り替えスイッチと、前記切り替えスイッチと固定されたスイッチベースと、回転可能な円筒状のリング部材と、固定筒に固定された抑えバネと、を有し、前記リング部材は内周部の周方向に沿って凹凸部と、前記凹凸部と隣接する平坦部とを有し、前記スイッチベースは貫通穴を有し、前記貫通穴には一端が球状部材と接し、他方の一端が前記抑えバネと接する付勢部材が挿入されていることを特徴とする。
【発明の効果】
【０００８】
上記発明によれば、簡易な構成ながら径方向に省スペースであり、切り替え時の感触に悪影響がなく、外観の品位に優れた絞りクリック感の切り替え機構を有するレンズ鏡筒を提供することができる。
【図面の簡単な説明】
【０００９】
【図１】本発明の一実施例を示したレンズ鏡筒の主要な構成部材を示す斜視図である。
【図２】本発明の一実施例を示したレンズ鏡筒における切り替え機構の主要な構成部材を示す斜視図である。
【図３】本発明の一実施例を示したレンズ鏡筒における第２絞りリングを示した斜視図である。
【図４】本発明の一実施例を示したレンズ鏡筒の第１の状態を示す断面図である。
【図５】本発明の一実施例を示したレンズ鏡筒の第２の状態を示す断面図である。
【図６】本発明の一実施例を示したレンズ鏡筒の第１の状態における主要部材を示す斜視図である。
【図７】本発明の一実施例を示したレンズ鏡筒の第２の状態における主要部材を示す斜視図である。
【発明を実施するための形態】
【００１０】
以下、添付の図面に従って、本発明を実施するための最良の形態について説明する。なお、この実施の形態により本発明が限定されるものではない。
【００１１】
図１は本発明の一実施例を示したレンズ鏡筒の主要な構成部材を示す斜視図である。以下、図１を使用してレンズ鏡筒の切り替え機構に係る主な部材について説明する。ここで、本実施例においてはレンズ鏡筒における被写体側を前方、像側を後方と呼称する。
【００１２】
レンズ鏡筒は撮像装置に取り付け可能な交換レンズであり、その中心に光軸を持つ。カバーリング１０は円筒形状の固定筒であり、その内部には不図示の固定筒やレンズ鏡室等の諸部材を備える。また、カバーリング１０は外周上に窓枠１１を有し、窓枠１１には切り替えスイッチ４０が挿通され、内周部にはスイッチクリックバネ４３と係合する不図示の突起部を備えている。
【００１３】
第１絞りリング２０は使用者がカバーリング１０の外周上に備えられる円筒形状の部材であり、使用者が光軸を中心軸として周方向に回転操作可能である。
【００１４】
図２は本発明の一実施例を示したレンズ鏡筒における第２絞りリング３０を示した斜視図である。第２絞りリング３０は第１絞りリング２０の内周側に接着され、第１絞りリング２０と一体として回転する円筒形状の部材である。第２絞りリング３０は内周部の周方向に平坦部３１と、光軸と平行な方向を向いて配される凹形状の溝が連なった凹凸部３２とを備える。平坦部３１と凹凸部３２は光軸と平行な方向に隣接して配置され、平坦部３１が前方に、凹凸部３２が後方に配置される。また、平坦部３１及び凹凸部３２の両端を第１端３５及び第２端３６と呼称する。
【００１５】
第２端３６の周方向の延長上には中間部３３、単独凹部３４が備えられている。単独凹部３４は凹凸部３２における凹部の１つが平坦部３１まで延長された形状をしている。また、カバーリング１０には不図示の検知部材が備えられており、第２絞りリング３０の回転量及び回転方向が検出される。なお、図における矢印Ａが正方向、矢印Ｂが逆方向の回転を示している。
【００１６】
第１絞りリング２０の回転は、第２絞りリング３０を介して検知され、不図示の公知の絞り機構に伝達される。これにより、使用者は第１絞りリング２０を回転操作することで、レンズ鏡筒における絞り値の大きさを任意に調整することができる。
【００１７】
図３は本発明の一実施例を示したレンズ鏡筒における切り替え機構の主要な構成部材を示す斜視図である。本実施例におけるレンズ鏡筒は、切り替え機構によってクリック感の有無を切り替え可能である。切り替え機構は切り替えスイッチ４０、スイッチベース４１、スイッチクリックバネ４３、付勢バネ４４、抑えバネ４５、ボール４６によって構成される。まず切り替え機構の構成について説明する。
【００１８】
切り替えスイッチ４０は、使用者が絞りリングの回転操作におけるクリック感の有無を切り替えるためのスイッチである。切り替えスイッチ４０はカバーリング１０の窓枠１１に挿通され、レンズ鏡筒の外観に露出している。
【００１９】
スイッチベース４１は締結部材４７によって切り替えスイッチ４０と締結されており、切り替えスイッチ４０と一体的に動く部材である。また、スイッチベース４１は貫通穴４２を有し、貫通穴４２には付勢バネ４４が挿通されている。
【００２０】
スイッチクリックバネ４３は締結部材４７によってスイッチベース４１に締結される部材である。スイッチクリックバネ４３はカバーリング１０の内周部に備わる突起部と係合しており、移動の際に撓むことで、切り替えスイッチ４０の操作におけるクリック感を生み出している。
【００２１】
付勢バネ４４はスイッチベース４１の貫通穴４２に挿通されるバネ状の部材である。付勢バネ４４は一方の側がボール４６を付勢し、残りの一方の側が抑えバネ４５と接触する。
【００２２】
ボール４６はスイッチベース４１における貫通穴４２によって前後の移動が規制され、付勢バネ４４によって第２絞りリング３０に対して当接するよう付勢される球状の部材である。ボール４６は貫通穴４２に規制されていることから、スイッチベース４１と一体的に移動する。
【００２３】
抑えバネ４５は付勢バネ４４の一方の側と接触し、付勢するバネ部材である。抑えバネ４５は締結部材４７によってカバーリング１０に締結される。
【００２４】
次に切り替え機構の効果について説明する。図４は本発明の一実施例を示したレンズ鏡筒の第１の状態を示す断面図である。図５は本発明の一実施例を示したレンズ鏡筒の第２の状態を示す断面図である。ここで、本実施例においてはクリック感が発生しない状態を第１の状態、クリック感が発生する状態を第２の状態と呼称する。
【００２５】
図６は本発明の一実施例を示したレンズ鏡筒の第１の状態における主要部材を示す斜視図である。第１の状態において、切り替えスイッチ４０は前方がカバーリング１０と当接し、移動が規制される。切り替え機構におけるボール４６は付勢バネ４４によって付勢され、第２絞りリング３０の平坦部３１に圧接される。第１の状態において第１絞りリング２０を回転させると、第２絞りリング３０はボール４６と平坦部３１が摺動しながら回転する。その際には第２絞りリング３０とボール４６との摺動面が常に平坦部３１であることから、第１絞りリング２０の回転操作においてクリック感が発生しない構成となっている。
【００２６】
図７は本発明の一実施例を示したレンズ鏡筒の第２の状態における主要部材を示す斜視図である。第２の状態において、切り替えスイッチ４０は後方がカバーリング１０と当接し、移動が規制される。切り替え機構におけるボール４６は付勢バネ４４によって付勢され、第２絞りリング３０の凹凸部３２に圧接される。第２の状態において第１絞りリング２０を回転させると、第２絞りリング３０は凹凸部３２の凹部にボール４６が順次嵌り込みながら回転する。ボール４６が凹部から隣接する凹部に移動する際には一定の力量が必要であるので、ボール４６が凹凸部３２の凹部に順次嵌ることで、第１絞りリング２０の回転操作においてクリック感が発生する構成となっている。
【００２７】
第２絞りリング３０の回転は、第１端３５において正方向の回転が規制される。また、第２端３６においては一度ボール４６が突き当たった後、更に力量を加えて回転操作を行うことでボール４６が中間部３３に乗り上げ、最終的にはボール４６が単独凹部３４に嵌まり込み、逆方向の回転が規制される。本実施例においてはボール４６が単独凹部３４に位置する際には、絞り値をオートモードにする等、絞り値の連続的変化以外の特殊な機能を割り当てることが可能である。
【００２８】
第１の状態から第２の状態、もしくは第２の状態から第１の状態へと切り替えは、平坦部３１と凹凸部３２とが隣接して配置されていることから、スイッチベース４１及びボール４６と一体的に移動する切り替えスイッチ４０を光軸と平行な方向に移動させることで行われる。この際、スイッチクリックバネ４３及び突起部により、切り替えスイッチ４０の操作におけるクリック感が発生する。また、切り替え機構の状態によらず、付勢バネ４４と抑えバネ４５とは常に接触している。
【００２９】
以上から、レンズ鏡筒の径の増大を抑えながら、切り替えスイッチ４０を操作することで絞りリングの回転操作に係るクリック感を切り替えることが可能な構成となっている。また、省スペースながら、機能性に優れた構成となっている。
【００３０】
また、本実施例においては、ボール４６を付勢する付勢バネ４４が挿通されているスイッチベース４１の穴は貫通穴４２である。ここで、スイッチベース４１の貫通穴４２が、貫通していない底のある穴部であった場合、切り替えスイッチ４０のスムーズな摺動を行うことは困難となる。
【００３１】
詳しく説明すれば、底のある穴部であった場合、スイッチベース４１が付勢バネ４４の反発力を直接受けてしまうことから、スイッチベース４１に可動方向とは異なる方向に力が加わる。従って、スイッチベース４１に倒れが発生してしまう。すると、スイッチベース４１と連動する切り替えスイッチ４０にも倒れが発生することから、切り替えスイッチ４０の移動にかかる抵抗が増大してしまう。また、スイッチベース４１が反発力によって変形することで摺動面の平面性が保てず、切り替えスイッチ４０の移動にかかる抵抗が増大してしまう。
【００３２】
以上より、底のある穴部であった場合、切り替えスイッチ４０のスムーズな摺動を行うことが困難となり、使用者の操作にかかる感触に悪影響が発生してしまう。また、切り替えスイッチ４０に倒れが起こることでレンズ鏡筒外観の品位が悪化してしまう。
【００３３】
しかし本実施例においてはスイッチベース４１に貫通穴４２を設けることで上記の問題を解決した。つまり、本実施例では付勢バネ４４の反発力を直接スイッチベース４１で受けず、貫通穴４２を通して抑えバネ４５によって受けている。抑えバネ４５は固定部材であるカバーリング１０に後部で締結されているのみであるので、中空に浮いた付勢バネ４４との接触箇所において撓み、付勢バネ４４による反発力を切り替えスイッチ４０に影響することなく受けることが可能である。従って、切り替えスイッチ４０の倒れ、スイッチベース４１の変形が発生せず、切り替えスイッチ４０の操作感に影響を与えることがなく、外観の品位にも優れた構成となっている。
【００３４】
なお、本実施例においてはクリック感の有無という２種類の状態を切り替える機構としたが、本発明は上記の構成に限られるものではない。例えば、平坦部、第１凹凸部、第１凹凸部から半分の凹部を間引いた第２凹凸部、を第２絞りリングにおいて光軸と平行な方向に隣接して並べることで、３種類の状態を切り替え可能な構成とすることも可能である。
【００３５】
また、本実施例においては絞りリングにおけるクリック感の有無の切り替え機構としたが、本発明は上記の構成に限られるものではない。例えば、三脚座、ズームリング、マニュアルリング、コントロールリング等の種々の部材における切り替え機構としても同様に適用可能である。
【００３６】
また、本発明にかかるレンズ鏡筒は、本発明が適用される撮像装置に応じて適宜変形、及び拡大縮小される。また、必要に応じて、装置の外寸法の変更による外観の変化、部材間の結合位置など、種々の変形や変更が可能であるが、いずれも本発明の均等の範囲内である。
【符号の説明】
【００３７】
１０      カバーリング
１１      窓枠
２０      第１絞りリング
３０      第２絞りリング
３１      平坦部
３２      凹凸部
３３      中間部
３４      単独凹部
３５      第１端
３６      第２端
４０      切り替えスイッチ
４１      スイッチベース
４２      貫通穴
４３      スイッチクリックバネ
４４      付勢バネ
４５      抑えバネ
４６      ボール
４７      締結部材
【図１】
2020129046.tif 000003
【図２】
2020129046.tif 000004
【図３】
2020129046.tif 000005
【図４】
2020129046.tif 000006
【図５】
2020129046.tif 000007
【図６】
2020129046.tif 000008
【図７】
2020129046.tif 000009